(57)【要約】【課題】洗浄水の噴射により食器類の洗浄を行う食器洗い機において、給水ホース、排水ホースなどを接続した後、食器洗い機本体をワークトップの壁際へ移動させる際に、ホースが屈曲することなく、また、食器洗い機を移動させることの妨げとならないようにし、設置性を向上する。【解決手段】食器洗い機本体１１内に収容した洗浄槽１２に給水連結部１６により給水ホース１４を接続して洗浄槽１２内に給水し、排水連結部１７により排水ホース１５を洗浄槽１２に接続して洗浄槽１２内から排水する。給水ホース１４、排水ホース１５の少なくとも一方を食器洗い機本体１１の外側に設けた抱持部１８で保持し、この抱持部１８から適当間隔を隔てた給水連結部１６、排水連結部１７に接続するよう構成する。【選択図】  図１
2004222974.tif 000002
【特許請求の範囲】
【請求項１】
洗浄槽を収容した食器洗い機本体と、前記洗浄槽内に給水する給水ホースと、前記給水ホースを前記洗浄槽に接続する給水連結部と、前記洗浄槽内から排水する排水ホースと、前記排水ホースを前記洗浄槽に接続する排水連結部とを備え、前記給水ホース、排水ホースの少なくとも一方を前記食器洗い機本体の外側に設けた抱持部で保持し、この抱持部から適当間隔を隔てた給水連結部、排水連結部に接続するよう構成した食器洗い機。
【請求項２】
洗浄槽を収容した食器洗い機本体と、この食器洗い機本体下部に設けた台枠部と、前記洗浄槽内に給水する給水ホースと、前記給水ホースを前記洗浄槽に接続する給水連結部と、前記洗浄槽内から排水する排水ホースと、前記排水ホースを前記洗浄槽に接続する排水連結部とを備え、前記給水ホース、排水ホースの少なくとも一方を前記台枠部の外側に設けた抱持部で保持し、この抱持部から適当間隔を隔てた給水連結部、排水連結部に接続するよう構成した食器洗い機。
【請求項３】
給水ホースと排水ホースを同じもしくは別の抱持部で保持し、給水ホースと排水ホースを略並行状態に配設し、それぞれ給水連結部、排水連結部に接続するよう構成した請求項１または２記載の食器洗い機。
【請求項４】
給水ホース、排水ホースの少なくとも一方を食器洗い機本体の外周囲に沿って配設し、抱持部を食器洗い機本体のコーナー部近傍に位置するようにした請求項１記載の食器洗い機。
【請求項５】
給水ホース、排水ホースの少なくとも一方を台枠部の外周囲に沿って配設し、抱持部を台枠部のコーナー部近傍に位置するようにした請求項２記載の食器洗い機。
【発明の詳細な説明】
【０００１】
【発明の属する技術分野】
本発明は、洗浄水の噴射により食器類の洗浄を行う食器洗い機に関する。
【０００２】
【従来の技術】
従来、この種の食器洗い機は図５に示すように構成していた。以下、その構成について説明する。
【０００３】
図５に示すように、食器洗い機本体１は、内部に洗浄槽２を設けており、台枠部３により支持し、洗浄槽２の前面を扉体４により開閉自在に覆っている。給水ホース５は水道から洗浄槽２へ給水するもので、排水ホース６は洗浄槽２から洗浄水を排水するものである。給水連結部７は給水ホース５と洗浄槽２を接続するもので、食器洗い機の背面に設けている。排水連結部８は排水ホース６と洗浄槽２を接続するもので、食器洗い機の背面に設けている。なお、図５は、食器洗い機本体１をワークトップ９に正面設置した状態を示している。
【０００４】
通常、給水ホース５と排水ホース６は製品に同梱されており、食器洗い機をワークトップ９に設置する際は、給水ホース５、排水ホース６をそれぞれ給水連結部７、排水連結部８に接続した後にワークトップ９の壁際に移動する。図３のように、食器洗い機本体１をワークトップ９に正面設置する場合は、シンク１０が食器洗い機本体１の側方に位置するため、給水ホース５および排水ホース６を食器洗い機本体１の背面から側方に引張り出した状態で移動する。
【０００５】
食器洗い機をワークトップ９の壁際に設置した後、給水ホース５を水道に接続し、排水ホース６をシンク１０に配設して、ユーザーは使用することが可能となる（例えば、特許文献１参照）。
【０００６】
【特許文献１】
特開平１１―２２５９３７号公報
【０００７】
【発明が解決しようとする課題】
このような従来の構成では、給水ホース５、排水ホース６をそれぞれ、給水連結部７、排水連結部８に接続した後に食器洗い機本体１をワークトップ９の壁際へ移動する際、給水ホース５、排水ホース６が壁面に押し付けられて屈曲したり、また屈曲することはなくとも、給水ホース５、排水ホース６が食器洗い機の下面に潜り込んで食器洗い機の移動を妨げるという問題を有していた。
【０００８】
本発明は上記従来の課題を解決するものであり、給水ホース、排水ホースなどを接続した後、食器洗い機本体をワークトップの壁際へ移動させる際に、ホースが屈曲することなく、また、食器洗い機を移動させることの妨げとならないようにし、設置性を向上することを目的としている。
【０００９】
【課題を解決するための手段】
本発明は上記目的を達成するために、食器洗い機本体内に収容した洗浄槽に給水連結部により給水ホースを接続して洗浄槽内に給水し、排水連結部により排水ホースを洗浄槽に接続して洗浄槽内から排水するよう構成し、給水ホース、排水ホースの少なくとも一方を食器洗い機本体の外側に設けた抱持部で保持し、この抱持部から適当間隔を隔てた給水連結部、排水連結部に接続するよう構成したものである。
【００１０】
これにより、給水ホース、排水ホースなどを抱持部が配設されている面に沿うように保持することができ、給水ホース、排水ホースなどを接続した後、食器洗い機本体を壁際へ移動する際に、ホースが壁面に押し付けられて屈曲することがなく、また、食器洗い機本体を移動させることの妨げとならないようにでき、設置性を向上することができる。
【００１１】
【発明の実施の形態】
本発明の請求項１に記載の発明は、洗浄槽を収容した食器洗い機本体と、前記洗浄槽内に給水する給水ホースと、前記給水ホースを前記洗浄槽に接続する給水連結部と、前記洗浄槽内から排水する排水ホースと、前記排水ホースを前記洗浄槽に接続する排水連結部とを備え、前記給水ホース、排水ホースの少なくとも一方を前記食器洗い機本体の外側に設けた抱持部で保持し、この抱持部から適当間隔を隔てた給水連結部、排水連結部に接続するよう構成したものであり、給水ホース、排水ホースなどを抱持部が配設されている面に沿うように保持することができ、給水ホース、排水ホースなどを接続した後、食器洗い機本体の抱持部配設面を壁際へ移動する際に、ホースが壁面に押し付けられて屈曲することがなく、また、食器洗い機本体を移動させることの妨げとならないようにでき、設置性を向上することができる。
【００１２】
請求項２に記載の発明は、洗浄槽を収容した食器洗い機本体と、この食器洗い機本体下部に設けた台枠部と、前記洗浄槽内に給水する給水ホースと、前記給水ホースを前記洗浄槽に接続する給水連結部と、前記洗浄槽内から排水する排水ホースと、前記排水ホースを前記洗浄槽に接続する排水連結部とを備え、前記給水ホース、排水ホースの少なくとも一方を前記台枠部の外側に設けた抱持部で保持し、この抱持部から適当間隔を隔てた給水連結部、排水連結部に接続するよう構成したものであり、給水ホース、排水ホースなどを抱持部が配設されている面に沿うように保持することができ、給水ホース、排水ホースなどを接続した後、台枠部の抱持部配設面を壁際へ移動する際に、ホースが壁面に押し付けられて屈曲することがなく、また、食器洗い機を移動させることの妨げとならないようにでき、設置性を向上することができる。
【００１３】
請求項３に記載の発明は、上記請求項１または２に記載の発明において、給水ホースと排水ホースを同じもしくは別の抱持部で保持し、給水ホースと排水ホースを略並行状態に配設し、それぞれ給水連結部、排水連結部に接続するよう構成したものであり、給水ホース、排水ホースの２本のホースを実質ホース１本分の幅で抱持部が配設されている面に沿うように保持することができ、食器洗い機の背面の設置スペースをより小さくすることができる。
【００１４】
請求項４に記載の発明は、上記請求項１に記載の発明において、給水ホース、排水ホースの少なくとも一方を食器洗い機本体の外周囲に沿って配設し、抱持部を食器洗い機本体のコーナー部近傍に位置するようにしたものであり、給水ホース、排水ホースなどを食器洗い機本体の外周囲に沿うように保持することができ、給水ホース、排水ホースなどを接続した後に、食器洗い機をワークトップのコーナー部へ移動する際、ホースがコーナー部の壁面に押し付けられて屈曲することがなく、また、食器洗い機の移動の妨げとならないようにでき、設置性を向上することができる。
【００１５】
請求項５に記載の発明は、上記請求項２に記載の発明において、給水ホース、排水ホースの少なくとも一方を台枠部の外周囲に沿って配設し、抱持部を台枠部のコーナー部近傍に位置するようにしたものであり、給水ホース、排水ホースなどを台枠部の外周囲に沿うように保持することができ、給水ホース、排水ホースなどを接続した後に、食器洗い機をワークトップのコーナー部へ移動する際、ホースがコーナー部の壁面に押し付けられて屈曲することがなく、また、食器洗い機の移動の妨げとならないようにでき、設置性を向上することができる。
【００１６】
【実施例】
以下、本発明の実施例について、図面を参照しながら説明する。
【００１７】
（実施例１）
図１に示すように、食器洗い機本体１１は、内部に洗浄槽１２を設けており、洗浄槽１２の前面を扉体１３により開閉自在に覆っている。給水ホース１４は水道から洗浄槽１２へ給水するもので、排水ホース１５は洗浄槽１２から洗浄水を排水するものである。給水連結部１６は給水ホース１４と洗浄槽１２を接続するもので、食器洗い機本体１１の背面に設けている。排水連結部１７は排水ホース１５と洗浄槽１２を接続するもので、食器洗い機本体１１の背面に設けている。
【００１８】
抱持部１８は給水ホース１４と排水ホース１５を抱持するもので、食器洗い機本体１１の外側に設けている。この抱持部１８は、図２に示すように、略逆Ｌ字状に形成し、下部先端に内方に突出する突起１８ａを有し、下部開放部１８ｂより給水ホース１４、排水ホース１５を抱持部１８のばね性に抗して押し込むことにより給水ホース１４、排水ホース１５を抱持できるよう構成している。
【００１９】
また、抱持部１８は、給水ホース１４、排水ホース１５が食器洗い機本体１１の背面に沿うよう給水連結部１６、排水連結部１７から適当間隔を隔てて設けている。なお、図１は、食器洗い機本体１１をワークトップ１９に正面設置した状態を示している。
【００２０】
上記構成において作用を説明する。通常、給水ホース１４、排水ホース１５は製品に同梱されており、食器洗い機本体１１をワークトップ１９に設置する際は、給水ホース１４、排水ホース１５をそれぞれ給水連結部１６、排水連結部１７に接続した後にワークトップ１９の壁際に移動する。
【００２１】
図１のように、食器洗い機本体１１をワークトップ１９に正面設置する場合は、シンク２０が食器洗い機本体１１の側方に位置するため、給水ホース１４および排水ホース１５を食器洗い機本体１１の背面から側方に引張り出した状態で移動する。このとき、給水ホース１４、排水ホース１５を抱持部１８により食器洗い機本体１１の背面に沿うよう保持しておくことで、給水ホース１４、排水ホース１５がワークトップ１９の壁面に押し付けられて屈曲するのを防ぐことができ、また、給水ホース１４、排水ホース１５が食器洗い機本体１１の下面に潜り込み食器洗い機本体１１の移動を妨げるのを防ぐことができる。
【００２２】
なお、本実施例では、抱持部１８は給水ホース１４と排水ホース１５とを抱持しているが、給水ホース１４、排水ホース１５のいずれか一方を抱持するようにしてもよく、また、１個の抱持部１８により給水ホース１４と排水ホース１５とを略平行状態に抱持しているが、給水ホース１４と排水ホース１５とを別の抱持部により抱持するようにしてもよい。
【００２３】
また、本実施例では、抱持部１８は、給水連結部１６、排水連結部１７から適当間隔を隔てて設け、給水ホース１４、排水ホース１５が食器洗い機本体１１の背面に沿うようにしているが、抱持部１８を食器洗い機本体１１のコーナー部近傍に設けることで、給水ホース１４、排水ホース１５を食器洗い機本体１１の外周囲に沿うように保持することができ、食器洗い機本体１１をワークトップ１９に横置き設置する場合に、給水ホース１４、排水ホース１５を接続した後に、食器洗い機１１をワークトップ１９のコーナー部へ移動する際、ホースがコーナー部の壁面に押し付けられて屈曲することがなく、また、食器洗い機本体１１の移動の妨げとならないようにでき、設置性を向上することができる。
【００２４】
このように本実施例によれば、給水ホース１４、排水ホース１５の少なくとも一方を食器洗い機本体１１の外側に設けた抱持部１８で保持し、この抱持部１８から適当間隔を隔てた給水連結部１６、排水連結部１７に接続するよう構成したので、給水ホース１４、排水ホース１５を抱持部１８が配設されている面に沿うように保持することができ、給水ホース１４、排水ホース１５を接続した後、食器洗い機本体１１の抱持部１８を配設した面を壁際へ移動する際に、ホースが壁面に押し付けられて屈曲することがなく、また、食器洗い機本体１１を移動させることの妨げとならないようにでき、設置性を向上することができる。
【００２５】
また、給水ホース１４と排水ホース１５を同じもしくは別の抱持部１８で保持し、給水ホース１４と排水ホース１５を略並行状態に配設し、それぞれ給水連結部１６、排水連結部１７に接続するよう構成したので、給水ホース１４、排水ホース１５の２本のホースを実質ホース１本分の幅で抱持部１８が配設されている面に沿うように保持することができ、食器洗い機本体１１の背面の設置スペースを最小限にとどめることができる。
【００２６】
（実施例２）
図３に示すように、食器洗い機本体２１は、内部に洗浄槽２２を設けており、台枠部２３により支持し、洗浄槽２２の前面を扉体２４により開閉自在に覆っている。給水ホース２５は水道から洗浄槽２２へ給水するもので、排水ホース２６は洗浄槽２２から洗浄水を排水するものである。給水連結部２７は給水ホース２５と洗浄槽２２を接続するもので、台枠部２３の背面に設けている。排水連結部２８は排水ホース２６と洗浄槽２２を接続するもので、台枠部２３の背面に設けている。
【００２７】
抱持部２９は給水ホース２５と排水ホース２６を抱持するもので、台枠部２３の外側に設けている。この抱持部２９は、給水ホース２５、排水ホース２６が台枠部２３の背面に沿うよう給水連結部２７、排水連結部２８から適当間隔をおいて設けている。なお、図３は、食器洗い機本体２１をワークトップ３０に正面設置した状態を示している。
【００２８】
上記構成において作用を説明する。通常、給水ホース２５、排水ホース２６は製品に同梱されており、食器洗い機本体２１をワークトップ３０に設置する際は、給水ホース２５、排水ホース２６をそれぞれ給水連結部２７、排水連結部２８に接続した後にワークトップ３０の壁際に移動する。
【００２９】
図３のように、食器洗い機本体２１をワークトップ３０に正面設置する場合は、シンク３１が食器洗い機本体２１の側方に位置するため、給水ホース２５および排水ホース２６を台枠部２３の背面から側方に引張り出した状態で移動する。このとき、給水ホース２５、排水ホース２６を抱持部２９により台枠部２３の背面に沿うよう保持しておくことで、給水ホース２５、排水ホース２６がワークトップ３０の壁面に押し付けられて屈曲するのを防ぐことができ、また、給水ホース２５、排水ホース２６が食器洗い機の下面に潜り込み食器洗い機の移動を妨げるのを防ぐことができる。
【００３０】
なお、本実施例では、抱持部２９は給水ホース２５と排水ホース２６とを抱持しているが、給水ホース２５、排水ホース２６のいずれか一方を抱持するようにしてもよく、また、１個の抱持部２９により給水ホース２５と排水ホース２６とを略平行状態に抱持しているが、給水ホース２５と排水ホース２６とを別の抱持部により抱持するようにしてもよい。
【００３１】
このように本実施例によれば、給水ホース２５、排水ホース２６の少なくとも一方を台枠部２３の外側に設けた抱持部２９で保持し、この抱持部２９から適当間隔を隔てた給水連結部２７、排水連結部２８に接続するよう構成したので、給水ホース２５、排水ホース２６を抱持部２９が配設されている面に沿うように保持することができ、給水ホース２５、排水ホース２６を接続した後、台枠部２３の抱持部２９を配設した面を壁際へ移動する際に、ホースが壁面に押し付けられて屈曲することがなく、また、食器洗い機を移動させることの妨げとならないようにでき、設置性を向上することができる。
【００３２】
また、給水ホース２５と排水ホース２６を同じもしくは別の抱持部２９で保持し、給水ホース２５と排水ホース２６を略並行状態に配設し、それぞれ給水連結部２７、排水連結部２８に接続するよう構成したので、給水ホース２５、排水ホース２６の２本のホースを実質ホース１本分の幅で抱持部２９が配設されている面に沿うように保持することができ、食器洗い機本体２１の背面の設置スペースを最小限にとどめることができる。
【００３３】
（実施例３）
図４に示すように、食器洗い機本体３２は、内部に洗浄槽３３を設けており、台枠部３４により支持し、洗浄槽３３の前面を扉体３５により開閉自在に覆っている。給水ホース３６は水道から洗浄槽３３へ給水するもので、排水ホース３７は洗浄槽３３から洗浄水を排水するものである。給水連結部３８は給水ホース３６と洗浄槽３３を接続するもので、台枠部３４の背面に設けている。排水連結部３９は排水ホース３７と洗浄槽３３を接続するもので、台枠部３４の背面に設けている。
【００３４】
抱持部４０は給水ホース３６と排水ホース３７を抱持するもので、台枠部３４のコーナー部に設けている。図４は、食器洗い機本体３２をワークトップ４１に横置き設置した状態を示している。
【００３５】
上記構成において作用を説明する。通常、給水ホース３６、排水ホース３７は製品に同梱されており、食器洗い機本体３２をワークトップ４１に設置する際は、給水ホース３６、排水ホース３７をそれぞれ給水連結部３８、排水連結部３９に接続した後にワークトップ４１の壁際に移動する。
【００３６】
図４のように食器洗い機本体３２をワークトップ４１に横置き設置する場合は、シンク４２が食器洗い機本体３２の前方に位置するため、給水ホース３６および排水ホース３７を食器洗い機本体３２の背面から前方に引張り出した状態で移動する。このとき、給水ホース３６、排水ホース３７を抱持部４０により台枠部３４の外周に沿うよう保持しておくことで、給水ホース３６、排水ホース３７がワークトップ４１の壁面に押し付けられて屈曲するのを防ぐことができ、また、給水ホース３６、排水ホース３７が食器洗い機の下面に潜り込み、食器洗い機の移動を妨げるのを防ぐことができる。
【００３７】
さらに、給水ホース３６と排水ホース３７を略並行状態に保持することにより、食器洗い機の背面、側面の設置スペースを最小限にとどめることができる。
【００３８】
なお、本実施例では、抱持部４０は給水ホース３６と排水ホース３７とを抱持しているが、給水ホース３６、排水ホース３７のいずれか一方を抱持するようにしてもよく、また、１個の抱持部４０により給水ホース３６と排水ホース３７とを略平行状態に抱持しているが、給水ホース３６と排水ホース３７とを別の抱持部により抱持するようにしてもよい。
【００３９】
このように本実施例によれば、給水ホース３６、排水ホース３７の少なくとも一方を台枠部３４の外周囲に沿って配設し、抱持部４０を台枠部３４のコーナー部近傍に位置するようにしたので、給水ホース３６、排水ホース３７を台枠部３４の外周囲に沿うように保持することができ、給水ホース３６、排水ホース３７を接続した後に、食器洗い機をワークトップ４１のコーナー部へ移動する際、ホースがコーナー部の壁面に押し付けられて屈曲することがなく、また、食器洗い機の移動の妨げとならないようにでき、設置性を向上することができる。
【００４０】
【発明の効果】
以上のように、本発明の請求項１に記載の発明によれば、給水ホース、排水ホースの少なくとも一方を食器洗い機本体の外側に設けた抱持部で保持し、この抱持部から適当間隔を隔てた給水連結部、排水連結部に接続するよう構成したから、給水ホース、排水ホースなどを抱持部が配設されている面に沿うように保持することができ、給水ホース、排水ホースなどを接続した後、食器洗い機本体の抱持部配設面を壁際へ移動する際に、ホースが壁面に押し付けられて屈曲することがなく、また、食器洗い機本体を移動させることの妨げとならないようにでき、設置性を向上することができる。
【図面の簡単な説明】
【図１】本発明の第１の実施例の食器洗い機のワークトップに正面設置した状態の斜視図
【図２】同食器洗い機の要部拡大斜視図
【図３】本発明の第２の実施例の食器洗い機のワークトップに正面設置した状態の斜視図
【図４】本発明の第３の実施例の食器洗い機のワークトップに横置き設置した状態の斜視図
【図５】従来の食器洗い機のワークトップに正面設置した状態の斜視図
【符号の説明】
１１  食器洗い機本体
１２  洗浄槽
１４  給水ホース
１５  排水ホース
１６  給水連結部
１７  排水連結部
１８  抱持部
【図１】
2004222974.tif 000003
【図２】
2004222974.tif 000004
【図３】
2004222974.tif 000005
【図４】
2004222974.tif 000006
【図５】
2004222974.tif 000007